(57)【特許請求の範囲】
【請求項１】
ディジタル放送の受信を行うディジタル放送受信部と、
アナログ放送の受信を行うアナログ放送受信部と、
前記ディジタル放送受信部で受信した音声信号と前記アナログ放送受信部で受信した音声信号のいずれか一方を選択する音声信号切替部と、
前記アナログ放送受信部で受信された音声信号の高域音声又はステレオ分離度を制御するノイズ感低減部と、
前記アナログ放送受信部で受信された音声信号又は前記ノイズ感低減部で処理された音声信号を前記音声信号切替部に送信するように切り替えるスイッチ部とを備え、
前記ディジタル放送受信部で受信した音声信号から前記アナログ放送受信部で受信した音声信号に切り替えた直後は、前記スイッチ部が前記ノイズ感低減部で処理された音声信号に切り替えないことを特徴とする放送受信装置。
【請求項２】
ディジタル放送受信部で受信された音声信号を、アナログ放送受信部で受信された音声信号に切り替えた直後からユーザの聴感上の違和感が低減されるように一定の時間だけ、前記アナログ放送受信部にて受信された音声信号を、ノイズ感低減部を経由せずにそのまま出力することを特徴とする請求項１記載の放送受信装置。
【発明の詳細な説明】
【０００１】
【発明の属する技術分野】
この発明は、ＤＡＢ（Ｄｉｇｉｔａｌ  Ａｕｄｉｏ  Ｂｒｏａｄｃａｓｔｉｎｇ）のようなディジタル放送、およびＲＤＳ（Ｒａｄｉｏ  Ｄａｔａ  Ｓｙｓｔｅｍ）のようなアナログ・オーディオ放送の受信が可能な放送受信装置に関するものである。
【０００２】
【従来の技術】
欧州ではＤＡＢと呼ばれるディジタル放送が既に実用の段階に入っている。このＤＡＢ放送は、音声や画像、受信機用の制御データ等の幅広い情報をディジタル多重化して送出することが可能となっている。多重化される情報には、オーディオ・データ放送の国や受信地域、放送局を識別するＳＩＤ（サービス識別）情報が含まれている。また、同一内容の番組を放送している他のＤＡＢ放送やＲＤＳ放送の放送局を識別するための情報や、ＦＭ／ＡＭといったアナログ放送の周波数情報を示すＦＩ（周波数情報）が含まれることもある。
【０００３】
放送局を識別する情報やＦＩといった情報を利用して、ＤＡＢ放送受信中に受信状態が一定レベル以下に劣化した場合、音声信号を同一内容の番組を放送しているアナログ・オーディオ放送に自動で切り替える機能や、逆にアナログ・オーディオ放送を受信している時に、音声出力を同一内容の番組を放送しているＤＡＢ放送に自動で切り替える機能を実現することが可能である。
【０００４】
例えば、車載用の放送受信機でＤＡＢ放送を受信しながら自動車で走行した場合、ＤＡＢ送信局から離れるにつれてＤＡＢ放送の受信状態が劣化し、それを受信し続けることが困難になる。しかし、ＤＡＢ放送の受信状態が一定レベル以下に劣化した時に、同一内容の番組を放送しているＦＭ放送に自動で切り替えてその音声信号を受信し、ＤＡＢ放送の受信状態が一定レベル以上になった時に、ＤＡＢ放送の音声信号に自動で切り替える機能を実現することで、同一内容の番組を、特別な操作をせずに聞き続けることが可能となる。
【０００５】
このように、従来の放送受信装置において、ディジタル放送とアナログ・オーディオ放送とを自動で切り替える機能を実現することは可能である。しかしながら、受信システムによっては、ＤＡＢ放送の音声信号選択時とＲＤＳ放送の音声信号選択時とで、同一の音量、音質、音場調整を行っても、異なる音量、音質、音場の音声が出力されることがある。また、受信システムによっては、ＤＡＢ放送の音声信号選択時とＲＤＳ放送の音声信号選択時とで異なる音量、音質、音場設定を行うことが可能なものも存在する。
【０００６】
さらに、車載用アナログ放送受信機では、走行中に電波の反射や急激な電界強度の変動の影響で音声に雑音が混じりやすく、ノイズ感を低減するために高域音声を減衰させたり、ステレオ分離度を低くするような機能を持たせたりすることがある。一方、ＤＡＢ受信機においては、受信状態の変化が発生してもノイズが発生しにくい送信形態が採用されているので、高域音声を減衰させたりステレオ分離度を低くする処理機能は持たせないことが多い。
【０００７】
なお、このような、ディジタル放送とアナログ・オーディオ放送との音声切り替え時に、聴きやすい方の音声信号を出力するといった、従来の放送受信装置に関連する記載のある文献としては、例えば、特開平１１−２３４１５４号公報などがある。
【０００８】
【発明が解決しようとする課題】
従来の放送受信装置は以上のように構成されているので、上述のようなＤＡＢ放送（ディジタル放送）とＲＤＳ放送（アナログ・オーディオ放送）との音声信号に、音量、音質、音場の違いがある状態で、ディジタル放送の音声信号とアナログ・オーディオ放送の音声信号とを自動で切り替えた場合、切り替え時にユーザーに聴覚上の違和感を生じさせるという課題があった。
【０００９】
この発明は上記のような課題を解決するためになされたもので、音声信号の自動切替時において、ディジタル放送とアナログ・オーディオ放送における音声信号の音量、音質、音場の違いによって、ユーザーに聴覚上の違和感を生じさせることのない放送受信装置を得ることを目的とする。
【００１０】
【課題を解決するための手段】
この発明に係る放送受信装置は、ディジタル放送の受信を行うディジタル放送受信部と、アナログ放送の受信を行うアナログ放送受信部と、ディジタル放送受信部で受信した音声信号とアナログ放送受信部で受信した音声信号のいずれか一方を選択する音声信号切替部と、アナログ放送受信部で受信された音声信号の高域音声又はステレオ分離度を制御するノイズ感低減部と、アナログ放送受信部で受信された音声信号又はノイズ感低減部で処理された音声信号を音声信号切替部に送信するように切り替えるスイッチ部とを備え、ディジタル放送受信部で受信した音声信号からアナログ放送受信部で受信した音声信号に切り替えた直後は、スイッチ部がノイズ感低減部で処理された音声信号に切り替えないものである。
【００１２】
この発明に係る放送受信装置は、ディジタル放送受信部で受信された音声信号を、アナログ放送受信部で受信された音声信号に切り替えた直後からユーザの聴感上の違和感が低減されるように一定の時間だけ、アナログ放送受信部にて受信された音声信号を、ノイズ感低減部を経由せずにそのまま出力するようにしたものである。
【００１３】
【発明の実施の形態】
以下、この発明の実施の一形態を説明する。
実施の形態１．
図１はこの発明の実施の形態１による放送受信装置の構成を示すブロック図である。図において、１はディジタル放送の受信を行うディジタル放送受信部であり、この場合にはディジタル放送としてのＤＡＢ放送を受信するＤＡＢ受信部が示されている。２はアナログ・オーディオ放送の受信を行うアナログ放送受信部であり、この場合にはアナログ放送としてのＲＤＳ放送を受信するＲＤＳ受信部が示されている。３はこれらＤＡＢ受信部１とＲＤＳ受信部２とによって受信され、その各々より出力された音声信号を切り替えて、そのいずれか一方を選択する音声信号切替部である。４はこの音声信号切替部３によって切替・選択された音声信号の音量、音質、音場の少なくとも１つ以上の調整を行う音声信号調整部である。
【００１４】
５はこの音声信号調整部４により、音声信号切替部３によるＤＡＢ放送とＲＤＳ放送との切り替えを行ったか否かに基づく音声調整手法によって調整された音声信号を増幅する音声信号増幅部であり、６はこの音声信号増幅部５によって増幅され、出力された音声信号により駆動されるスピーカである。また、７はユーザーによる音量、音質、音場の操作や、出力音声の選択操作、受信局の選択操作などを受け付ける操作部である。
【００１５】
８はこの操作部７で受け付けた操作情報を取得して、ＤＡＢ受信部１、ＲＤＳ受信部２、音声信号切替部３、および音声信号調整部４の制御を行うシステム制御部である。なお、このシステム制御部８は、ＤＡＢ放送とＲＤＳ放送の双方で同一番組が同時に放送されているか否かを判定する判定機能、この判定機能で同一番組が同時に放送されていると判定された場合に、音声信号切替部３の切替制御を行って、ＤＡＢ受信部あるいはＲＤＳ受信部のいずれか一方で受信された音声信号を自動で切替・選択させる自動音声切替機能、および音声信号切替部３によってＤＡＢ放送とＲＤＳ放送との切り替えが行われたか否かに基づいて音声信号調整部４を制御し、異なる音声調整手法でその音量、音質、音場の調整を行わせる音声調整機能とを備えている。
【００１６】
図２は上記ＤＡＢ受信部１において採用されるＤＡＢ放送のトランスミッションフレームのフレーム構成を示す説明図である。図示のように、トランスミッションフレームの１フレームは、信号の同期を取るための同期チャンネル（Ｓｙｎｃｈｒｏｎｉｚａｔｉｏｎ  Ｃｈａｎｎｅｌ：ＳＣ）、高速情報チャンネル（Ｆａｓｔ  Ｉｎｆｏｒｍａｔｉｏｎ  Ｃｈａｎｎｅｌ：ＦＩＣ）、およびオーディオやデータサービスの情報を有するメインサービスチャンネル（Ｍａｉｎ  Ｓｅｒｖｉｃｅ  Ｃｈａｎｎｅｌ：ＭＳＣ）から構成されている。
【００１７】
なお、この高速情報チャンネルＦＩＣは、少なくとも１つの高速情報ブロックＦＩＢから構成されている。また、各高速情報ブロックＦＩＢはＦＩＢデータフィールドと巡回冗長検査（Ｃｙｃｌｉｃ  Ｒｅｄｕｎｄａｎｃｙ  Ｃｈｅｃｋ：ＣＲＣ）コードから構成され、ＦＩＢデータフィールドは複数の高速情報グループＦＩＧと、エンドマークから構成されている。各高速情報グループＦＩＧはＦＩＧヘッダとＦＩＧデータフィールドから構成され、ＦＩＧヘッダにはＦＩＧデータフィールドに含まれるデータの種別を表すＦＩＧタイプ情報と、ＦＩＧデータフィールドのバイト長を表す情報が含まれている。
【００１８】
図３は上記高速情報グループＦＩＧのうち、ＦＩＧタイプが０の場合のＦＩＧデータフィールド構成を示す説明図である。ＦＩＧタイプ０の高速情報グループＦＩＧのＦＩＧデータフィールドには、先頭から順にＣ／Ｎ（Ｃｕｒｒｅｎｔ／Ｎｅｘｔ）フラグ、ＯＥ（Ｏｔｈｅｒ  Ｅｎｓｅｍｂｌｅ）フラグ、Ｐ／Ｄ（Ｐｒｏｇｒａｍｍｅ  ｓｅｒｖｉｃｅｓ／Ｄａｔａ  ｓｅｒｖｉｃｅｓ）フラグ、およびエクステンションが含まれている。ＦＩＧデータフィールドのデータ内容は、このＦＩＧタイプとエクステンションとによって定義されている。以下、ＦＩＧ０／１と表記した場合は、ＦＩＧタイプ０のエクステンション１の高速情報グループＦＩＧを表すものとする。
【００１９】
この実施の形態１による放送受信装置において、ＤＡＢ放送とＲＤＳ放送が同一番組であるか否かを判定するには、上記ＦＩＧ０／６の高速情報グループＦＩＧに含まれるデータを用いる。ＦＩＧ０／６の高速情報グループＦＩＧは、受信中のＤＡＢ放送と同一番組を放送しているＲＤＳ放送を識別する情報を含んでいる。ＦＩＧ０／６の高速情報グループＦＩＧを解析することによって、受信中のＤＡＢ放送と同一の放送を行っているＲＤＳ放送の識別情報を取得することができる。
【００２０】
次に動作について説明する。
まず、上記ＦＩＧ０／６の高速情報グループＦＩＧより得た情報を用いて、自動音声切替機能を実現するための動作処理手順について説明する。ここで、図４は実施の形態１の放送受信装置において、自動音声切替機能を実現するための動作処理手順を示すフローチャートである。
【００２１】
システム制御部８はステップＳＴ１において、まずその自動音声切替機能が有効設定されているか、無効設定されているかの判断を行う。その結果、自動音声切替機能が無効設定されていると判断された場合には、そのままこの自動音声切替の処理を終了する。一方、自動音声切替機能が有効設定されていると判断された場合には、ステップＳＴ２に進んでＤＡＢ受信部１からの音声信号が音声信号切替部３で選択されているか否かを判断する。ステップＳＴ２でＤＡＢ受信部１からの音声信号が音声信号切替部３で選択されていると判断されれば、ステップＳＴ３においてＤＡＢ放送のＦＩＧ情報を解析し、受信中のＤＡＢ放送と同一内容のＲＤＳ放送が存在するか否かを判断する。また、ステップＳＴ２にてＤＡＢ受信部１からの音声信号が音声信号切替部３で選択されていないと判断された場合、あるいはステップＳＴ３にて受信中のＤＡＢ放送と同一内容のＲＤＳ放送が存在しないと判断された場合には、音声自動切替処理を行わずに、再度ステップＳＴ２に戻ってこの処理を繰り替えす。
【００２２】
また、ステップＳＴ３で受信中のＤＡＢ放送と同一内容のＲＤＳ放送が存在すると判断された場合には、ステップＳＴ４において、実際にそのＲＤＳ放送を受信できているか否かを判定する。判定の結果、受信できていなければステップＳＴ５に進み、ＲＤＳ受信部２を制御して全周波数をサーチさせ、同一の放送を行っているＲＤＳ放送を受信させた後、ステップＳＴ２へ戻る。ステップＳＴ４にて音声自動切替対象となるＲＤＳ放送を受信できていると判定された場合には、ステップＳＴ６でＤＡＢ放送の受信状態の劣化を判定する。その結果、ＤＡＢ放送の受信状態が良好であれば、処理をステップＳＴ２に戻し、ＤＡＢ放送の音声出力を継続する。一方、ＤＡＢ放送の受信状態が悪ければステップＳＴ７に進み、システム制御部８は音声信号切替部３を制御して出力する音声信号をＤＡＢ放送からＲＤＳ放送へ切り替える。
【００２３】
システム制御部８はこのステップＳＴ７において、出力する音声信号をＤＡＢ音声からＲＤＳ音声へ自動切り替えした後、ＤＡＢ放送の受信状態が良好であるか否かを判断する。その結果、ＤＡＢ放送の受信状態が悪化していれば、このステップＳＴ８を繰り返してＲＤＳ放送の音声信号の出力を継続する。一方、ＤＡＢ放送の受信状態が良好であれば、ステップＳＴ９に進んで音声信号切替部３を制御し、出力する音声信号をＲＤＳ放送からＤＡＢ放送へ切り替えて、この自動音声切替の処理を終了する。
【００２４】
以上のように、システム制御部８はＤＡＢ受信部１とＲＤＳ受信部２から得た情報を元に、図４に示した動作処理手順例の判定を実行して音声信号切替部３を制御することにより、自動音声切替機能を実現している。
【００２５】
次に、このような放送受信装置における、音量、音質、音場の制御について説明する。ここで、図５はこの発明の実施の形態１による放送受信装置において、音量、音質、音場制御などの音声調整を実現するための動作処理手順を示すフローチャートである。
【００２６】
システム制御部８はまず、ステップＳＴ１０において、上記自動音声切替機能の有効、無効を判定する。判定の結果、自動音声切替機能が無効であればステップＳＴ１１に進み、選択されている音声信号が、ＤＡＢ受信部１で受信されたものか、ＲＤＳ受信部２で受信されたものかを判断する。その結果、ＲＤＳ受信部２で受信した音声信号が選択されていると判断された場合には、ステップＳＴ１２において、ＲＤＳ選択中専用の音量、音質、音場制御処理に従って音声信号調整部４を制御して、この音声調整の処理を終了する。一方、ＤＡＢ受信部１で受信した音声信号が選択されていると判断された場合には、ステップＳＴ１３において、ＤＡＢ選択中専用の音量、音質、音場制御処理に従って音声信号調整部４を制御して、音声調整の処理を終了する。
【００２７】
また、ステップＳＴ１０において自動音声切替機能が有効であると判断された場合には、選択されている音声信号に関わらずステップＳＴ１４へ進む。このステップＳＴ１４では、ＲＤＳ、ＤＡＢ共用の音量、音質、音場制御処理に従って音声信号調整部４を制御して、音声調整の処理を終了する。
【００２８】
このように、この実施の形態１では、自動音声切替機能が無効であれば、ユーザーはＤＡＢ放送を受信した音声信号の出力時と、ＲＤＳ放送を受信した音声信号の出力時とで、異なる音量、音質、音場を設定することが可能となる。
【００２９】
例えば、ユーザーが操作部７より、残響音を追加して音場を変化させるような機能を、ＲＤＳ受信部２で受信した音声信号の出力時にはＯＦＦと設定し、ＤＡＢ受信部１で受信した音声信号の出力時にはＯＮと設定した場合には、システム制御部８は上記音場制御設定を、ＲＤＳ放送の音声信号出力時とＤＡＢ放送の音声信号出力時とで別個に記憶する。その後、ＲＤＳ受信部２の受信した音声信号が選択された場合には、ＲＤＳ放送の音声信号出力時に設定された音場制御設定記憶を呼出して音声信号調整部４の制御を行い、ＤＡＢ受信部１の受信した音声信号が選択された場合には、ＤＡＢ放送の音声信号出力時に設定された音場設定記憶を呼出して音声信号調整部４の制御を行う。すなわち、ＲＤＳ放送の音声信号出力時には、残響音を追加する機能をＯＦＦとし、ＤＡＢ放送の音声信号出力時には、残響音を追加する機能をＯＮにする。このように、出力する音声信号によって異なる音場制御を行うことができる。
【００３０】
一方、自動音声切替機能が有効である場合には、ＤＡＢ受信部１で受信した音声信号の出力時においても、ＲＤＳ受信部２で受信した音声信号の出力時においても、同一の音量、音質、音場設定しかできない。例えば、ＲＤＳ受信部２が受信した音声信号の出力時に、残響音を追加する機能をユーザーがＯＦＦ設定すると、システム制御部８は上記音場制御の設定をＲＤＳ放送の音声信号出力時とＤＡＢ放送の音声信号出力時とで同一の記憶をもつ。その後、ＤＡＢ受信部１が受信した音声信号を選択した時においても、ＲＤＳ受信部２が受信した音声信号を選択した時においても、前回ＲＤＳ放送の音声信号出力時、またはＤＡＢ放送の音声信号出力時に設定された音場設定記憶を呼出して音声信号調整部４を制御する。すなわち、ＤＡＢ放送の音声信号の出力時と、ＲＤＳ放送の音声信号の出力時とで、残響音を追加する機能をＯＦＦにするといった、必ず同一の音場制御が行われることになる。
【００３１】
以上のように、この実施の形態１によれば、自動音声切替機能の有効、無効により、音量、音質、音場の制御を違えているため、自動音声切替機能の無効時にはユーザーによる音量、音質、音場設定の自由度を高めることができ、また、自動音声切替機能の有効時には、ＤＡＢ放送を受信した音声信号とＲＤＳを受信した音声信号の音量、音質、音場の設定差が存在しなくなって、自動音声切替時のＤＡＢ放送の音声信号とＲＤＳ放送の音声信号との音量、音質、音場差を低減することが可能となるなどの効果が得られる。
【００３２】
実施の形態２．
次に、この発明の実施の形態２について説明する。図６は実施の形態２による放送受信装置の構成を示すブロック図であり、実施の形態１の各部に相当する部分には図１と同一符号を付してその説明を省略する。
【００３３】
図において、９はアナログ放送受信部としてのＲＤＳ受信部２より直接制御されて、当該ＲＤＳ受信部２によって受信されたＲＤＳ放送の音声信号より、聴感上のノイズ感を低減させるノイズ感低減部である。１０はＯＦＦ側が直接ＲＤＳ受信部２に接続され、ＯＮ側がノイズ感低減部９を介してＲＤＳ受信部２に接続され、システム制御部８によってそのＯＮ／ＯＦＦが切替制御されるスイッチ部であり、ＲＤＳ受信部２にて受信された音声信号を音声信号切替部３に、そのまま入力するか、ノイズ感低減部９を経由して入力するかの切り替えを行って、ノイズ感低減部９の有効、無効を選択している。なお、システム制御部８は、このスイッチ部１０の制御機能を有している点で、図１に同一符号を付して示した実施の形態１のそれとは異なっている。
【００３４】
次に動作について説明する。
ノイズ感低減部９は、ＲＤＳ受信部２によって直接制御されており、ＲＤＳ受信部２が現在受信している電波の強さを表すアナログ電圧値を利用して、ＲＤＳ受信部２の出力する音声信号のノイズ感を制御している。例えば、電波の強さが弱い場合には、ノイズ感低減部９にてステレオ分離度を低下させることによって、聴感上のステレオノイズを低減させる。また、電波の強さが急激に変動する場合には、ノイズ感低減部９によって高域音声を減衰させることによって、聴感上のノイズ感を低減させる。なお、このステレオ分離度と高域音声減衰の両方の機能を兼ね備えるようにしてもよい。
【００３５】
スイッチ部１０はＲＤＳ受信部２の出力する音声信号に関して、上述したようなノイズ感低減部９による処理が実行された音声信号と、このノイズ感低減部９による処理が実行されていない音声信号のいずれか一方を選択し、選択された音声信号を音声信号切替部３に出力する。このスイッチ部１０の選択・切替処理はシステム制御部８によって制御され、スイッチ部１０をＯＮ側に制御することでノイズ感低減部９の処理が有効となり、スイッチ部１０をＯＦＦ側に制御することでノイズ感低減部９の処理が無効となる。
【００３６】
次に、このように構成された放送受信装置おける、システム制御部８のスイッチ部１０に対する制御について説明する。ここで、図７はこの発明の実施の形態２による放送受信装置において、ノイズ感低減の処理を実現するための動作処理手順を示すフローチャートである。
【００３７】
システム制御部８はまず、ステップＳＴ２０においてＲＤＳ受信部２で受信した音声信号が音声信号切替部３で選択されているか否かの判断を行う。その結果、ＲＤＳ受信部２で受信した音声信号が音声信号切替部３で選択されていると判断された場合には、ステップＳＴ２１に進んで、ＤＡＢ受信部１で受信した音声信号から自動音声切替された状態であるか否かが判断される。ステップＳＴ２０でＲＤＳ放送の音声信号が音声信号切替部３で選択されていないと判断された場合、またはステップＳＴ２０でＲＤＳ放送の音声信号が音声信号切替部３で選択されていると判断され、かつステップＳＴ２１でＤＡＢ放送の音声信号から自動音声切り替えされた状態ではないと判断された場合には、ステップＳＴ２２において、ＤＡＢ放送の音声信号からＲＤＳ放送の音声信号へ自動切り替えしてからの時間を計測するためのタイマ値を０にクリアする。次にステップＳＴ２３において、システム制御部８はスイッチ部１０をＯＮ側に制御し、ノイズ感低減部９で処理されたＲＤＳ受信部２の受信音声信号を音声信号切替部３に出力して、このノイズ感低減の処理を終了する。
【００３８】
一方、ステップＳＴ２１において、ＤＡＢ放送の音声信号からＲＤＳ放送の音声信号への自動切替が行われている状態であると判断された場合には、ステップＳＴ２４に進んで、ＤＡＢ放送の音声信号からＲＤＳ放送の音声信号へ自動切替してからの時間を計測するためのタイマ値を１だけインクリメントする。次にステップＳＴ２５において、そのタイマ値と規定値Ｔ１との比較を行う。比較の結果、タイマ値が規定値Ｔ１以上の値であった場合にはステップＳＴ２３に進み、システム制御部８はスイッチ部１０をＯＮ側に制御して、ノイズ感低減部９で処理されたＲＤＳ受信部２からの音声信号を音声信号切替部３に出力し、このノイズ感低減の処理を終了する。また、ステップＳＴ２５でタイマ値が規定値Ｔ１未満の値であった場合にはステップＳＴ２６に進み、システム制御部８はスイッチ部１０をＯＦＦ側に制御し、ノイズ感低減部９で処理された音声信号を用いず、ＲＤＳ受信部２の出力する音声信号をそのまま音声信号切替部３に出力して、このノイズ感低減の処理を終了する。
【００３９】
以上のように、この実施の形態２によれば、ＤＡＢ放送の音声信号からＲＤＳ放送の音声信号へ自動音声切替を行った時、およびその後の一定時間、高域音声を減衰させたりステレオ分離度を低下させるノイズ感低減処理を無効としているので、出力する音声信号をＤＡＢ受信部１で受信したものからＲＤＳ受信部２で受信したものへ自動切り替えを行った時に、音声信号のステレオ分離度が急激に低下したり高域成分が急激に減衰するといった、聴感上の違和感を低減することが可能となり、また、自動音声切替を実施していない時や、自動音声切替から一定時間以上経過した時には、ノイズ感低減部９による処理が有効に動作して、聴感上のノイズを低減するとができるという効果が得られる。
【００４０】
【発明の効果】
以上のように、この発明によれば、ディジタル放送の受信を行うディジタル放送受信部と、アナログ放送の受信を行うアナログ放送受信部と、ディジタル放送受信部で受信した音声信号とアナログ放送受信部で受信した音声信号のいずれか一方を選択する音声信号切替部と、アナログ放送受信部で受信された音声信号の高域音声又はステレオ分離度を制御するノイズ感低減部と、アナログ放送受信部で受信された音声信号又はノイズ感低減部で処理された音声信号を音声信号切替部に送信するように切り替えるスイッチ部とを備え、ディジタル放送受信部で受信した音声信号からアナログ放送受信部で受信した音声信号に切り替えた直後は、スイッチ部がノイズ感低減部で処理された音声信号に切り替えないように構成したので、ディジタル放送の音声信号からアナログ放送の音声信号への切り替え時に、ノイズ感低減処理が無効となり、音声信号のステレオ分離度が急激に低下したり、高域成分が急激に減衰するといった、聴感上の違和感を軽減することが可能になるという効果がある。
【００４２】
この発明によれば、ディジタル放送受信部で受信された音声信号を、アナログ放送受信部で受信された音声信号に切り替えた直後からユーザの聴感上の違和感が低減されるように一定の時間だけ、アナログ放送受信部にて受信された音声信号を、ノイズ感低減部を経由せずにそのまま出力するように構成したので、ディジタル放送からアナログ放送への音声信号の切り替え時に、一定時間以上経過するとノイズ感低減処理が有効に動作して、聴感上のノイズを低減することができるという効果がある。
【図面の簡単な説明】
【図１】  この発明の実施の形態１による放送受信装置の構成を示すブロック図である。
【図２】  ＤＡＢ受信部で採用されるＤＡＢ放送のフレーム構成を示す説明図である。
【図３】  ＦＩＧタイプが０の場合のＦＩＧデータフィールド構成を示す説明図である。
【図４】  実施の形態１における自動音声切替機能を実現するための動作処理手順を示すフローチャートである。
【図５】  実施の形態１における音量、音質、音場制御を実現するための動作処理手順を示すフローチャートである。
【図６】  この発明の実施の形態２による放送受信装置の構成を示すブロック図である。
【図７】  実施の形態２におけるノイズ感低減処理を実現するための動作処理手順を示すフローチャートである。
【符号の説明】
１  ＤＡＢ受信部（ディジタル放送受信部）、２  ＲＤＳ受信部（アナログ放送受信部）、３  音声信号切替部、４  音声信号調整部、５  音声信号増幅部、６  スピーカ、７  操作部、８  システム制御部、９  ノイズ感低減部、１０  スイッチ部。
【図１】
0004219535.tif 000002
【図２】
0004219535.tif 000003
【図３】
0004219535.tif 000004
【図４】
0004219535.tif 000005
【図５】
0004219535.tif 000006
【図６】
0004219535.tif 000007
【図７】
0004219535.tif 000008